(57)【要約】      （修正有）【課題】チェーンが緩んだ際のテンション調整について、迅速、且つ容易にチェーンのテンション調整を行うことのできる調整装置を提供する。【解決手段】トーションスプリング７が、調整ボルト６の螺合回転によって捩じられると共に、捩じりからの戻りによる回転反発力が生じるようにされ、この回転反発力により、押動ボルト５が螺合回転すると共に、押動ボルトの軸に沿ってチェーン１方向に移動することで、調整スプロケット３をチェーンに押し付けるように噛合わせる。【選択図】図１
2020007775.tif 000002
【特許請求の範囲】
【請求項１】
溝切刃を備えた環状のチェーンが複数のスプロケットにわたるように巻回された溝切装置を備えたチェーントレンチャーであって、前記チェーンのテンションを調整する調整装置を具備し、前記調整装置は、前記スプロケットと平行な軸を有して前記チェーンに噛み合う調整スプロケットと、前記調整スプロケットを軸支した支持部と、前記調整スプロケットの軸と直交すると共に、前記調整スプロケットを前記チェーンに噛み合わせる方向と平行な軸を有して、一端が前記支持部に対して回転自在に嵌合するように配置された押動ボルトと、前記押動ボルトの他端側で該押動ボルトと同軸として配置された調整ボルトと、前記押動ボルトと同軸として該押動ボルトと前記調整ボルトとにわたるように、一端が前記押動ボルトに固定されていると共に、他端が前記調整ボルトに固定されたトーションスプリングと、前記押動ボルト側及び前記調整ボルト側に夫々不動状態として保持され、前記押動ボルトが螺合された第１の固定ナット及び前記調整ボルトが螺合された第２の固定ナットとを備え、前記トーションスプリングは、前記調整ボルトの螺合回転によって捩じられると共に、捩じりからの戻りによる回転反発力が生じ、前記押動ボルトは、前記トーションスプリングの回転反発力が伝達されて螺合回転すると共に、前記回転反発力による螺合回転によって、前記押動ボルトの軸に沿って前記チェーン方向に移動するように螺合されていることを特徴とするチェーントレンチャー。
【請求項２】
前記調整ボルトは、前記トーションスプリングの回転反発力による前記調整ボルトの螺合回転を阻止し、前記トーションスプリングを捩じる方向の前記調整ボルトの螺合回転を許容する回転方向制限装置に連結されていることを特徴とする請求項１に記載のチェーントレンチャー。
【発明の詳細な説明】
【技術分野】
【０００１】
本発明は、圃場の畦に沿って溝掘りを行うチェーントレンチャーに関する。
【背景技術】
【０００２】
下記特許文献１に記載されているように  駆動スプロケットと従動スプロケットにわたって無限軌道を構成するように巻き掛けられたチェーンの外周に、複数の溝切り刃を備えたチェーントレンチャーが知られている。
【０００３】
特許文献１に記載されたチェーントレンチャーは、伝達される動力によって回転する駆動スプロケットの駆動回転でチェーンを無限軌道に沿って回転させることによって、このチェーンに備えられた溝切り刃が溝を掘るようになっている。
【先行技術文献】
【特許文献】
【０００４】
【特許文献１】実開昭５９−１９６６６公報
【発明の概要】
【発明が解決しようとする課題】
【０００５】
特許文献１の従来技術によるチェーントレンチャーは、２個の従動スプロケットを有しており、その内の１個は、チェーンに対してテンションを与えるテンションスプロケットである。
【０００６】
テンションスプロケットは、軸方向をチェーンの径方向に沿って配置したボルトに螺合されたナットの締め付け方向の回転に伴って、チェーンの内周に対して径方向から押し付ける方向に移動するようにされており、チェーンが使用によって伸びて巻き掛け状態が緩んでしまった際に、ナットを締め付けしてテンションスプロケットを移動させることによって、チェーンにテンションを与えて緩みを解消することができるようになっている。
【０００７】
しかしながら、特許文献１の従来技術によるテンションスプロケットの移動は、チェーンにゆるみが生じたことをオペレータが確認した時点で、オペレータ自身が手作業によってナットを締め付けすると共に、チェーンを手で押して緩み量を定規や目視で測って、チェーンのテンションを調整することが必要であり、極めて面倒であると共に、時間を要する作業であるため、チェーンが緩んだ際のテンション調整について容易性の向上及び迅速性の向上が望まれている。
【課題を解決するための手段】
【０００８】
前述の課題を解決するために、本発明では、下記の手段を採用した。
【０００９】
溝切刃を備えた環状のチェーンが複数のスプロケットにわたるように巻回された溝切装置を備えたチェーントレンチャーであって、前記チェーンのテンションを調整する調整装置を具備し、前記調整装置は、前記スプロケットと平行な軸を有して前記チェーンに噛み合う調整スプロケットと、前記調整スプロケットを軸支した支持部と、前記調整スプロケットの軸と直交すると共に、前記調整スプロケットを前記チェーンに噛み合わせる方向と平行な軸を有して、一端が前記支持部に対して回転自在に嵌合するように配置された押動ボルトと、前記押動ボルトの他端側で該押動ボルトと同軸として配置された調整ボルトと、前記押動ボルトと同軸として該押動ボルトと前記調整ボルトとにわたるように、一端が前記押動ボルトに固定されていると共に、他端が前記調整ボルトに固定されたトーションスプリングと、前記押動ボルト側及び前記調整ボルト側に夫々不動状態として保持され、前記押動ボルトが螺合された第１の固定ナット及び前記調整ボルトが螺合された第２の固定ナットとを備え、前記トーションスプリングは、前記調整ボルトの螺合回転によって捩じられると共に、捩じりからの戻りによる回転反発力が生じ、前記押動ボルトは、前記トーションスプリングの回転反発力が伝達されて螺合回転すると共に、前記回転反発力による螺合回転によって、前記押動ボルトの軸に沿って前記チェーン方向に移動するように螺合されていることを特徴とするチェーントレンチャーである。
【００１０】
前記調整ボルトは、前記トーションスプリングの回転反発力による前記調整ボルトの螺合回転を阻止し、前記トーションスプリングを捩じる方向の前記調整ボルトの螺合回転を許容する回転方向制限装置に連結されていることが好ましい。
【図面の簡単な説明】
【００１１】
【図１】本発明に係る一実施形態のチェーントレンチャーの側面図である。
【図２】図１の要部拡大図であり、一部を切欠して示す。
【図３】図２の（３）-（３）線断面図である。
【図４】図２の（４）-（４）線断面図である。
【図５】図２の（５）-（５）線断面図である。
【発明を実施するための形態】
【００１２】
以下、本発明に係る一実施形態のチェーントレンチャーＡを図１〜図５に基づいて説明する。
【００１３】
図１に示すように、チェーントレンチャーＡは、複数の溝切刃１０を備えた環状のチェーン１が複数のスプロケット２にわたるように巻回された溝切装置Ａ１と、チェーン１のテンションを調整する調整装置Ｂが具備されている。
【００１４】
チェーントレンチャーＡは、トラクタ等の走行体(図示せず)に連結され、この走行体にけん引されると共に、走行体の動力伝達系（図示せず）を介して、走行体のＰＴＯ（Power Take Off）軸（図示せず）に動力伝達部Ａ２を接続することで、走行体の駆動力が伝達されて溝切装置Ａ１が溝切動作するものである。
【００１５】
溝切装置Ａ１は、複数のスプロケット２の内、一つを駆動用、残りを従動用として設定され、駆動用として設定されたスプロケット２Ａに動力伝達部Ａ２を介して走行体の駆動力が伝達され、スプロケット２Ａの回転がチェーン１及び従動用のスプロケット２に伝達されることで、チェーン１の無端回転による溝切動作が行われる。
【００１６】
調整装置Ｂは、溝切装置Ａ１の溝切動作によって伸長して緩みが生じるチェーン１のテンションを自動的に調整する機能を有するものである。
【００１７】
図２〜図４に示すように、調整装置Ｂは、スプロケット２と平行な軸を有してチェーン１に噛み合う調整スプロケット３と、調整スプロケット３を軸支した支持部４と、調整スプロケット３の軸と直交すると共に、調整スプロケット３をチェーン１に噛み合わせる方向と平行な軸を有して、一端が支持部４に対して回転自在に嵌合するように配置された押動ボルト５と、押動ボルト５の他端側で押動ボルト５と同軸として配置された調整ボルト６と、押動ボルト５と同軸として、押動ボルト５と調整ボルト６とにわたるように、一端が押動ボルト５に固定されていると共に、他端が調整ボルト６に固定されたトーションスプリング７と、押動ボルト５が螺合された第１の固定ナット８Ａと、調整ボルト６が螺合された第２の固定ナット８Ｂと、トーションスプリング７を内蔵し、一端側に第１の固定ナット８Ａが固着され、他端側に第２の固定ナット８Ｂが固着された筒体８Ｃと、調整ボルト６に連結されたラチェット装置(回転制限装置)９とを備えている。
【００１８】
調整スプロケット３は、トーションスプリング７の回転反発力が作用する押動ボルト５によって、チェーン１に対して押し付けられるようにして噛み合っており、溝切動作におけるチェーン１の回転に伴って回転するようにされている。
【００１９】
支持部４は、調整スプロケット３を回転自在に軸支する軸支体４０と、フレームＡ１００に押動ボルト５と平行な軸を有して設けられたガイド管Ａ２に、軸方向に沿ってスライド自在に嵌合されたガイド杆４１と備えている。
【００２０】
軸支体４０は、押動ボルト５の一端部が軸を中心として回転自在に嵌合されており、押動ボルト５の螺合回転の伝達がされず、螺合回転によって調整スプロケット３をチェーン１に押し付ける方向へ移動する押動ボルト５に伴って、チェーン１方向に移動するようにされている。
【００２１】
ガイド杆４１は、ガイド管Ａ２によって支持されながら、チェーン１方向に移動する軸支体４０をガイドするようにガイド管Ａ２内をスライドするようにされている。
【００２２】
押動ボルト５は、筒体８Ｃの内径に適合する直径を有して筒体８Ｃ内にスライド及び回転自在に嵌合された円盤５Ａに、押動ボルト５の他端部が同軸で固着されている。
【００２３】
円盤５Ａには、トーションスプリング７の端部が固着されており、トーションスプリング７の回転反発力によって軸を中心として回転するようにされ、この円盤５Ａの回転に伴って押動ボルト５が回転するようになっている。
【００２４】
押動ボルト５は、第１の固定ナット８Ａに螺合された状態でトーションスプリング７の回転反発力で回転したときに、調整スプロケット３をチェーン１に押し付ける方向(図２の白抜き矢印方向)に、押動ボルト５の軸に沿って移動するように螺合回転するねじ方向として設定されている。
【００２５】
調整ボルト６は、筒体８Ｃの内径に適合する直径を有して筒体８Ｃ内にスライド及び回転自在に嵌合された円盤６Ａに、調整ボルト６の一端部が同軸で固着されている。
【００２６】
調整ボルト６の他端側には、調整ボルト６を螺合回転操作するスパナやレンチ等の冶具(図示せず)が嵌合する六角ナット６Ｂが固定されていると共に、調整ボルト６の一方向の螺合回転を許容し、他方向の螺合回転を阻止する方向としてラチェット装置９が連結されている。
【００２７】
ここで、ラチェット装置９が許容する調整ボルト６の一方向の螺合回転方向は、後述するトーションスプリング７を捩じる方向(図５の実線矢印方向)であり、他方向の螺合回転方向は、後述するトーションスプリング７の捩じりから戻る回転反発力が作用する方向(図５の仮想線矢印方向)である。
【００２８】
円盤６Ａには、トーションスプリング７の端部が固着されており、調整ボルト６の一方向の螺合回転に伴って円盤６Ａが回転することによって、トーションスプリング７を捩じるようにされている。
【００２９】
トーションスプリング７は、前述のように調整ボルト６の一方向の螺合回転によって捩じられることによって、捩じりから戻ることによる回転反発力が生じるようになっており、この回転反発力によって円盤５Ａを回転させる共に、円盤５Ａの回転に伴って、押動ボルト５を螺合回転させるようになっている。
【００３０】
第１の固定ナット８Ａ及び第２の固定ナット８Ｂは、筒体８Ｃの端部開口を塞ぐ閉塞板８０Ｃに、筒体８Ｃと同軸となるように固着され、第１の固定ナット８Ａに押動ボルト５が貫通するように螺合され、第２の固定ナット８Ｂに調整ナット６が貫通するように螺合されている。
【００３１】
筒体８Ｃは、チェーン１の内周側に位置するように、フレームＡ１００に対して固定されており、この筒体８Ｃの固定により、第１の固定ナット８Ａ及び第２の固定ナット８Ｂを不動状態で保持し、調整スプロケット３をチェーン１の内周側に噛み合わせると共に、この内周側から押動ボルト５の螺合回転によるチェーン１方向への移動によって、調整スプロケット３をチェーン１の内周に押し付けることができるようになっている。
【００３２】
ラチェット装置９は、歯車(図示せず)と歯止め(図示せず)とを組み合わせてなる周知構造のものであり、調整ボルト６の外側に歯車が固定され、この歯車の外側に配された筒部９０の内側に歯止めが設けられている。
【００３３】
ラチェット装置９は、トーションスプリング７の回転反発力(図５の仮想線矢印方向)が作用して回転しようとする調整ボルト６に対しては、歯車に歯止めが掛合することで回転を阻止する一方、トーションスプリング７を捩じる方向の調整ボルト６の回転(図５の実線矢印方向)に対しては、歯車への歯止めの掛合が解除されることで、調整ボルト６を回転させるように設定されている。
【００３４】
筒部９０は、歯車及び歯止めを介して筒部９０に伝達される調整ボルト６の回転力が作用しても不動状態として保持され、これにより、調整ボルト６と一体での回転が阻止されるので、回転反発力が作用したときの調整ボルト６の螺合回転を阻止することができる。
【００３５】
尚、筒部９０を不動に保持する構造は、本実施形態では、筒部８Ｃの外側に径方向に沿って突設されたストッパー９１を、筒体８Ｃの外側に突設された接触杆９２に対して、トーションスプリング７の回転反発力による回転方向で対面するように接触させる構造としているが、本発明では、筒部９０を不動にできる構造であれば、例示した構造に限らない。
【００３６】
また、本実施形態では、回転制限装置をラチェット装置として例示しているが、本発明では、ラチェット装置に限らず、ワンウェイクラッチ装置を用いてもよい。
【００３７】
次に、調整装置Ｂによる調整動作を説明すると、初期設定として、チェーン１に対してテンションを与えるとき、トーションスプリング７を捩じる方向に調整ボルト６の螺合回転操作を行う。
【００３８】
調整ボルト６の螺合回転操作によって、トーションスプリング７が捩じられると共に、捩じりから戻るときの回転反発力が発生し、この回転反発力によって押動ボルト５が螺合回転してチェーン１方向に移動する。
【００３９】
押動ボルト５のチェーン１方向への移動に伴って、支持部を介して調整スプロケット３がチェーン１に押し付けられると共に、この押し付け力によってチェーン１にテンションを与える。
【００４０】
トーションスプリング７の回転反発力は、押動ボルト５に対して継続して作用しており、これによって、チェーン１のテンションを保持している。
【００４１】
前述のように、チェーン１のテンションが保持された状態で溝掘り作業が行われるが、溝掘り作業中にチェーン１が伸長し、チェーン１が緩んでテンションが低下する。
【００４２】
このとき、トーションスプリング７の回転反発力が押動ボルト５に対して継続して作用しているため、この回転反発力によって自動的に押動ボルト５が螺合回転して、調整スプロケット３をチェーン１に押し付ける方向に移動する。
【００４３】
すなわち、トーションスプリング７の回転反発力を常に押動ボルト５に作用させているため、作業中にチェーン１のテンションが低下しても、自動的にチェーン１の緩みを解消し、チェーン１のテンションを正常た状態に復帰させることができる。
【００４４】
したがって、チェーン１が緩んでテンションが低下しても、面倒な手動によるテンション調整作業を行うことなく、迅速、且つ容易に緩んだチェーン１のテンション調整を行うことができる。
【００４５】
なお、本発明は、例示した実施の形態に限定するものではなく、特許請求の範囲に記載された内容から逸脱しない範囲の構成による実施が可能である。
【符号の説明】
【００４６】
Ａ：チェーントレンチャー
Ａ１：溝切装置
Ｂ：調整装置
１：チェーン
１０：溝切刃
２：スプロケット
３：調整スプロケット
４：支持部
５：押動ボルト
６：調整ボルト
７：トーションスプリング
８Ａ：第１の固定ナット
８Ｂ：第２の固定ナット
９：ラチェット装置
【図１】
2020007775.tif 000003
【図２】
2020007775.tif 000004
【図３】
2020007775.tif 000005
【図４】
2020007775.tif 000006
【図５】
2020007775.tif 000007